(57)【要約】      （修正有）【課題】屋外からの太陽光を室内に採光することができると共に、スラットの強度を増し、開窓時の風の抵抗を和らげることができるブラインドを提供する。【解決手段】複数のスラット２０で構成されたブラインド１０であって、スラット２０は、その少なくともいずれか１面が鏡面であると共に、断面略Ｓ字形状とする。ブラインド１０が横型の場合には、水平に並設されたスラット２０の上面を鏡面とする。【選択図】図３
0003171122.tif 000002
【実用新案登録請求の範囲】
【請求項１】
複数のスラットで構成されたブラインドであって、該スラットは、その少なくともいずれか１面が鏡面であると共に、断面略Ｓ字形状であることを特徴とするブラインド。
【請求項２】
前記ブラインドが横型であり、水平に並設された前記スラットの上面が鏡面であることを特徴とする請求項１記載のブラインド。
【請求項３】
前記スラットの断面略Ｓ字形状は、下に凸なスラット本体片と上に凸なスラット本体片とを短手方向に組み合わせて構成した形状であることを特徴とする請求項２記載のブラインド。
【請求項４】
前記スラットは、鏡面フィルムが貼り付けられることによる鏡面を有することを特徴とする請求項１ないし３のいずれか１項記載のブラインド。
【請求項５】
前記スラットは、表面光沢仕上げされた塗装又はメッキ処理もしくはステンレス加工による鏡面を有することを特徴とする請求項１ないし３のいずれか１項記載のブラインド。
【考案の詳細な説明】
【技術分野】
【０００１】
本考案は、窓面に設置するブラインドに関し、特に外光を室内に導き、室内を明るく採光できるブラインドに関する。
【背景技術】
【０００２】
従来から、日中、屋外からの太陽光（日射）を遮光するためのブラインドがあった。かかるブラインドで、例えば横型のものは、周知の如く、多数のスラット（羽根）を水平方向に並設し、スラットの回動角度を変えることで主として日射を遮光するものであるが、スラットの一方の面を鏡面に形成して、この鏡面で屋外からの太陽光を室内の天井などに反射させ、太陽光の直接的な侵入を防止しつつ室内に採光する機能を備えるものが提案されている（例えば、特許文献１参照）。
【０００３】
また、上に凹んだ鏡面の反射面を有する上スラット部と、上に凸の乱反射面を有する複数の下スラット部を備えた採光式ブラインドが提案されている（例えば、特許文献２参照）。この採光式ブラインドは、ブラインドの上方部分に配設された上スラット部の、上に凹んだ鏡面が外光を室内に導入するようになっており、また、ブラインドの下方部分に配設された下スラット部はブラインドの本来の機能である目隠しを含む遮光を行っている。
【先行技術文献】
【特許文献】
【０００４】
【特許文献１】特公平０４−２１７９８号公報
【特許文献２】実開昭６３−９８９９３号公報
【考案の概要】
【考案が解決しようとする課題】
【０００５】
しかしながら、上記したような従来のブラインドは、通常、窓枠に取り付けられるが、窓を開けた状態では、窓からの風がブラインドに当たり、特に、強い風が吹いた時、ブラインドの多数のスラットが強風にあおられて振動したり、あるいは共振して、パタパタと騒音をたてたり、時には、スラットがずれたり、折れ曲がって変形したりすることがあるなどの課題があった。
【０００６】
本考案は、上述した課題を解決するものであり、その目的は、屋外からの太陽光を室内に採光することができると共に、スラットの強度を増し、開窓時の風の抵抗を和らげることができるブラインドを提供することにある。
【課題を解決するための手段】
【０００７】
上記目的を達成するため、本考案のブラインドは、複数のスラットで構成されたブラインドであって、スラットは、その少なくともいずれかの１面が鏡面であると共に、断面略Ｓ字形状であることを特徴とする。本考案によって、スラットが鏡面を有するので該鏡面によって反射した屋外からの太陽光が室内の壁面などに反射して室内に採光することができる。また、断面略Ｓ字形状であるのでスラットの強度が増すと共に、開窓時の風の抵抗を和らげることができる。
【０００８】
上記態様では、ブラインドが横型であり、水平に並設されたスラットの上面が鏡面であることが好ましい。これにより、横型ブラインドにおいて、スラットの上面の鏡面で屋外からの太陽光を室内の天井などに反射させ室内に採光することができる。
【０００９】
上記態様では、スラットの断面略Ｓ字形状は、下に凸なスラット本体片と上に凸なスラット本体片とを短手方向に組み合わせて構成した形状であることが好ましい。これにより、横型ブラインドにおいて、スラットの強度が増すと共に、開窓時の風の抵抗を和らげるブラインドが得られる。
【００１０】
上記態様では、スラットは、鏡面フィルムが貼り付けられたことによる鏡面とすることができる。また、上記態様では、スラットは、表面光沢仕上げされた塗装又はメッキ処理もしくはステンレス加工による鏡面とすることができる。これにより、スラットの上面を簡単に鏡面とすることができる。
【考案の効果】
【００１１】
本考案のブラインドによれば、スラットが鏡面を有するので該鏡面によって反射した屋外からの太陽光が室内の壁面などに反射し室内に採光することができると共に、スラットの断面が略Ｓ字形状であるのでスラットの強度が増し、開窓時の風の抵抗を和らげることができる。
【図面の簡単な説明】
【００１２】
【図１】本考案の一実施形態に係るブラインドの斜視図である。
【図２】図１に示すブラインドを構成するスラットの説明図である。
【図３】図１に示すブラインドの要部断面図である。
【考案を実施するための形態】
【００１３】
以下、添付図面を参照しながら本考案の一実施の形態について詳細に説明する。なお、本発明の実施形態における構成要素は適宜、既存の構成要素等との置き換えが可能であり、また、他の既存の構成要素との組合せを含む様々なバリエーションが可能である。したがって、本考案の実施形態の記載をもって、実用新案登録請求の範囲に記載された考案の内容を限定するものではない
【００１４】
図１は本考案のブラインド１０の斜視図を示す。図１に示すように、ブラインド１０は横型であり、水平に並設された多数のスラット２０で構成されている。ブラインド１０の両横には、スラット２０を引き上げるための引き上げ紐４が設けられ、また、ブラインド１０の片側には、スラット２０の角度を調整するための角度調整棒５が設けられている。
【００１５】
図２はブラインド１０を構成する１枚のスラット２０の構造を示す。スラット２０は、その本体２の上面に、表面が反射率の高いフィルムで構成されている鏡面フィルム３を貼り付けて、光を反射させる鏡面Ｍにしている。また、スラット本体２は、図２に示すように、同じ幅で同じ形状の、下に凸なスラット本体片２Ａと上に凸なスラット本体片２Ｂとを短手方向に組み合わせて構成した形状となるような、断面Ｓ字形状に成形されている。
【００１６】
スラット本体２の素材はアルミニウムであるが、樹脂の成形品、防水紙、木、竹などの成形可能な材質によるものを適用することが可能である。
【００１７】
図３は、図１に示すブラインド１０の要部断面図である。上記したように、スラット２０の上面を鏡面Ｍにすることにより、図３に示すように、日中、屋外からの太陽光Ｌを鏡面Ｍで反射させて、室内の天井面７や壁（図示せず）を明るく照らすようにできる。これにより、昼間の室内灯の代替えとして省エネ化を図ることができる。
【００１８】
また、スラット２０の断面形状を、下に凸なスラット本体片２Ａと上に凸なスラット本体片２Ｂとを短手方向に組み合わせて構成した形状となるような、Ｓ字形状とすることにより、スラット２０の長手方向についての折曲げに対する強度が、単に下に凸なスラットあるいは上に凸なスラットだけで構成した形状のものに比べて強化される。
【００１９】
更に、スラット２０の断面をＳ字形状とすることにより、下に凸なスラットあるいは上に凸なスラットだけを水平に並設したブラインドに比べて、ブラインドに当たる風の流れが上下方向に分散されるので、開窓時に受ける風の流れを拡散させて風の抵抗を和らげることができるようになる。これにより、特に、強風時に、スラット２０があおられて振動したり、あるいは共振することが軽減され、スラット２０がずれたり、折れ曲がって変形するといったことが起きにくくなるといった効果がある。
【００２０】
本考案に係るブラインドは、上述の実施の形態に限定されず、本考案の要旨を逸脱することなく、種々の構成を取り得ることは勿論である。例えば、スラットは、図２に示すような、同じ幅で同じ形状のスラット本体片２Ａ、２Ｂを組み合わせて構成した形状ではなく、スラット本体片の幅を異ならせたものを組み合わせても良く、また、スラット本体片の幅は同じで、下に凸あるいは上に凸となる部分の曲面の深いものや浅いものを適宜組み合わせた、断面が略Ｓ字形状に成形されたものでも良い。
【００２１】
また、ブラインド１０の多数のスラット２０の全てを断面がＳ字形状に成形されたもので構成するのではなく、その一部のスラットを従前の断面形状のスラット（例えば、上に凹んだ鏡面の反射面を有する上スラット）にしても良い。
【００２２】
また、スラット２０の上面を鏡面にする方法としては、表面光沢仕上げされた塗装により鏡面にする方法や、クロームメッキ等のメッキ処理により鏡面にする方法でも良く、また、スラット２０の表面を反射率の高いものにするステンレス加工で形成しても良い。
【産業上の利用可能性】
【００２３】
本考案に係るブラインドは、外光を室内に導き、室内を明るく採光できるブラインドとして有用である。
【符号の説明】
【００２４】
２  スラット本体
２Ａ  下に凸なスラット本体片
２Ｂ  上に凸なスラット本体片
３  鏡面フィルム
４  引き上げ紐
５  角度調整棒
７  天井面
１０  ブラインド
２０  スラット
Ｌ  太陽光
Ｍ  鏡面
【図１】
0003171122.tif 000003
【図２】
0003171122.tif 000004
【図３】
0003171122.tif 000005